【手続補正書】
【提出日】平成18年2月3日(2006.2.3)
【手続補正１】
【補正対象書類名】明細書
【補正対象項目名】発明の名称
【補正方法】変更
【補正の内容】
【発明の名称】ナビゲーション装置及び携帯通信端末及びナビゲーション方法及び着信通知モード選択方法及びプログラム及び移動状態判定装置
【手続補正２】
【補正対象書類名】明細書
【補正対象項目名】特許請求の範囲
【補正方法】変更
【補正の内容】
【特許請求の範囲】
【請求項１】  ユーザの足裏に作用する圧力を感知する圧力センサと通信可能であり、ユーザの移動に際してユーザの移動に関する経路案内を行うナビゲーション装置であって、
前記圧力センサから、前記圧力センサの感知結果を示す圧力情報を受信する圧力情報受信部と、
ユーザの現在位置を検出する位置検出部と、
ユーザの移動速度を検出する移動速度検出部と、
前記圧力情報受信部により受信された圧力情報と前記位置検出部により検出されたユーザの現在位置と前記移動速度検出部により検出されたユーザの移動速度とに基づき、ユーザの移動状態を判定する移動状態判定部と、
前記移動状態判定部により判定されたユーザの移動状態に対応した経路案内を行なう経路案内部とを有することを特徴とするナビゲーション装置。
【請求項２】  前記移動状態判定部は、
ユーザの移動状態として、ユーザが交通手段を利用しているか否かを判定するとともに、ユーザが交通手段を利用していると判定した場合に、ユーザが利用している交通手段の種類を判定し、
前記経路案内部は、
前記移動状態判定部によりユーザが交通手段を利用していないと判定された場合に、徒歩移動に対応した経路案内を行い、前記移動状態判定部によりユーザが交通手段を利用していると判定された場合に、前記移動状態判定部により判定された交通手段の種類に対応した経路案内を行なうことを特徴とする請求項１に記載のナビゲーション装置。
【請求項３】  前記ナビゲーション装置は、
ユーザの携帯によりユーザの移動に伴って移動する携帯型のナビゲーション装置であることを特徴とする請求項１に記載のナビゲーション装置。
【請求項４】  ユーザの足裏に作用する圧力を感知する圧力センサと通信可能であり、いずれかの通信装置から着信があった際にユーザに着信を通知する着信通知モードとして複数種類の着信通知モードを有する携帯通信端末であって、
前記圧力センサから、前記圧力センサの感知結果を示す圧力情報を受信する圧力情報受信部と、
ユーザの現在位置を検出する位置検出部と、
ユーザの移動速度を検出する移動速度検出部と、
前記圧力情報受信部により受信された圧力情報と前記位置検出部により検出されたユーザの現在位置と前記移動速度検出部により検出されたユーザの移動速度とに基づき、ユーザの移動状態を判定する移動状態判定部と、
いずれかの通信装置から着信があった場合に、複数種類の着信通知モードの中から、前記移動状態判定部により判定されたユーザの移動状態に対応した着信通知モードを選択する着信通知モード選択部とを有することを特徴とする携帯通信端末。
【請求項５】  前記移動状態判定部は、
ユーザの移動状態として、ユーザが交通手段を利用しているか否かを判定するとともに、ユーザが交通手段を利用していると判定した場合に、ユーザが利用している交通手段の種類を判定し、
前記着信通知モード選択部は、
前記移動状態判定部によりユーザが交通手段を利用していないと判定された場合に、交通手段非利用時に対応した着信通知モードを選択し、前記移動状態判定部によりユーザが交通手段を利用していると判定された場合に、前記移動状態判定部により判定された交通手段の種類に対応した着信通知モードを選択することを特徴とする請求項４に記載の携帯通信端末。
【請求項６】  ユーザの足裏に作用する圧力を感知する圧力センサと通信可能であり、ユーザの移動に際してユーザの移動に関する経路案内を行うナビゲーション方法であって、
前記圧力センサから、前記圧力センサの感知結果を示す圧力情報を受信する圧力情報受信ステップと、
ユーザの現在位置を検出する位置検出ステップと、
ユーザの移動速度を検出する移動速度検出ステップと、
前記圧力情報受信ステップにより受信された圧力情報と前記位置検出ステップにより検出されたユーザの現在位置と前記移動速度検出ステップにより検出されたユーザの移動速度とに基づき、ユーザの移動状態を判定する移動状態判定ステップと、
前記移動状態判定ステップにより判定されたユーザの移動状態に対応した経路案内を行なう経路案内ステップとを有することを特徴とするナビゲーション方法。
【請求項７】  ユーザの足裏に作用する圧力を感知する圧力センサと通信可能であり、いずれかの通信装置から着信があった際にユーザに着信を通知する着信通知モードとして複数種類の着信通知モードを管理し、いずれかの通信装置から着信があった場合に複数種類の着信通知モードの中から特定の着信通知モードを選択する着信通知モード選択方法であって、
前記圧力センサから、前記圧力センサの感知結果を示す圧力情報を受信する圧力情報受信ステップと、
ユーザの現在位置を検出する位置検出ステップと、
ユーザの移動速度を検出する移動速度検出ステップと、
前記圧力情報受信ステップにより受信された圧力情報と前記位置検出ステップにより検出されたユーザの現在位置と前記移動速度検出ステップにより検出されたユーザの移動速度とに基づき、ユーザの移動状態を判定する移動状態判定ステップと、
いずれかの通信装置から着信があった場合に、複数種類の着信通知モードの中から、前記移動状態判定ステップにより判定されたユーザの移動状態に対応した着信通知モードを選択する着信通知モード選択ステップとを有することを特徴とする着信通知モード選択方法。
【請求項８】  ユーザの足裏に作用する圧力を感知する圧力センサと通信可能であり、ユーザの移動に際してユーザの移動に関する経路案内を行うコンピュータに、
前記圧力センサから、前記圧力センサの感知結果を示す圧力情報を受信する圧力情報受信処理と、
ユーザの現在位置を検出する位置検出処理と、
ユーザの移動速度を検出する移動速度検出処理と、
前記圧力情報受信処理により受信された圧力情報と前記位置検出処理により検出されたユーザの現在位置と前記移動速度検出処理により検出されたユーザの移動速度とに基づき、ユーザの移動状態を判定する移動状態判定処理と、
前記移動状態判定処理により判定されたユーザの移動状態に対応した経路案内を行なう経路案内処理とを実行させることを特徴とするプログラム。
【請求項９】  ユーザの足裏に作用する圧力を感知する圧力センサと通信可能であり、いずれかの通信装置から着信があった際にユーザに着信を通知する着信通知モードとして複数種類の着信通知モードを有するコンピュータに、
前記圧力センサから、前記圧力センサの感知結果を示す圧力情報を受信する圧力情報受信処理と、
ユーザの現在位置を検出する位置検出処理と、
ユーザの移動速度を検出する移動速度検出処理と、
前記圧力情報受信処理により受信された圧力情報と前記位置検出処理により検出されたユーザの現在位置と前記移動速度検出処理により検出されたユーザの移動速度とに基づき、ユーザの移動状態を判定する移動状態判定処理と、
いずれかの通信装置から着信があった場合に、複数種類の着信通知モードの中から、前記移動状態判定処理により判定されたユーザの移動状態に対応した着信通知モードを選択する着信通知モード選択処理とを実行させることを特徴とするプログラム。
【請求項１０】  ユーザの足裏に作用する圧力を感知する圧力センサと通信可能な装置であって、
前記圧力センサから、前記圧力センサの感知結果を示す圧力情報を受信する圧力情報受信部と、
ユーザの現在位置を検出する位置検出部と、
ユーザの移動速度を検出する移動速度検出部と、
前記圧力情報受信部により受信された圧力情報と前記位置検出部により検出されたユーザの現在位置と前記移動速度検出部により検出されたユーザの移動速度とに基づき、ユーザの移動状態を判定する移動状態判定部とを有することを特徴とする移動状態判定装置。
【請求項１１】  前記移動状態判定部は、
ユーザの移動状態として、ユーザが交通手段を利用しているか否かを判定するとともに、ユーザが交通手段を利用していると判定した場合に、ユーザが利用している交通手段の種類を判定することを特徴とする請求項１０に記載の移動状態判定装置。
【請求項１２】  ユーザの足裏に作用する圧力を感知する圧力センサと通信可能なコンピュータに、
前記圧力センサから、前記圧力センサの感知結果を示す圧力情報を受信する圧力情報受信処理と、
ユーザの現在位置を検出する位置検出処理と、
ユーザの移動速度を検出する移動速度検出処理と、
前記圧力情報受信処理により受信された圧力情報と前記位置検出処理により検出されたユーザの現在位置と前記移動速度検出処理により検出されたユーザの移動速度とに基づき、ユーザの移動状態を判定する移動状態判定処理とを実行させることを特徴とするプログラム。
【請求項１３】  前記プログラムは、
ユーザの移動状態として、ユーザが交通手段を利用しているか否かを判定するとともに、ユーザが交通手段を利用していると判定した場合に、ユーザが利用している交通手段の種類を判定する移動状態判定処理をコンピュータに実行させることを特徴とする請求項１２に記載のプログラム。